(57)【要約】【課題】収納部内の紙幣の収納順序を効率的に入れ替える。【解決手段】入出金装置は、紙葉類の投入又は放出を行う入出金口部と、紙葉類の金種及び真偽を判別する識別部と、記憶部と、一時保管部と、複数の収納部と、搬送路と、駆動部と、収納部内に集積された紙葉類を、判別情報を元に、収納部毎に分離して搬送部に搬送させて、識別部に計数させる精算処理を実行する制御部と、を備え、制御部は、精算処理中の収納部内の一部の紙葉類を入出金口部又は一時保管部又はその両方に退避させ、精算処理中の収納部内の残りの紙葉類を入出金口部、一時保管部または紙葉類が収納されていない収納部のいずれかに退避させ、一部の紙葉類および残りの紙葉類を精算処理中の収納部に戻すように制御する。【選択図】図３
2015125712.tif 000002
【特許請求の範囲】
【請求項１】
紙葉類の投入又は放出を行う入出金口部と、
前記紙葉類の金種及び真偽を判別する識別部と、
前記識別部で判別された金種又は真偽に関する判別情報を記憶する記憶部と、
前記入出金口部に入金された紙葉類を一時的に集積する一時保管部と、
入金された前記紙葉類又は出金する前記紙葉類を収納する複数の収納部と、
前記識別部を通過し、前記入出金口部、前記一時保管部、前記収納部を接続する搬送路と、
前記搬送路を駆動させる駆動部と、
前記収納部内に集積された紙葉類を、前記判別情報を元に、収納部毎に分離して前記搬送部に搬送させて、前記識別部に計数させる精算処理を実行する制御部と、
を備え、
前記制御部は、
前記精算処理中の前記収納部内の一部の紙葉類を前記入出金口部又は前記一時保管部又はその両方に退避させ、
前記精算処理中の前記収納部内の残りの紙葉類を前記入出金口部、前記一時保管部または前記紙葉類が収納されていない前記収納部のいずれかに退避させ、
前記一部の紙葉類および前記残りの紙葉類を前記精算処理中の前記収納部に戻すように制御する
ことを特徴とする、紙幣入出金装置。
【請求項２】
前記制御部は、
前記精算処理を実行するに際し、前記一部の紙葉類と前記残りの紙葉類のうち、先に退避させた紙葉類を前記収納部に戻した後、後から退避させた紙葉類を前記収納部に戻すように制御する
ことを特徴とする、請求項１に記載の紙幣入出金装置。
【請求項３】
前記制御部は、
前記精算処理を実行するに際し、前記一部の紙葉類と前記残りの紙葉類のうち、後から退避させた紙葉類を前記収納部に戻した後、先に退避させた紙葉類を前記収納部に戻すように制御する
ことを特徴とする、請求項１に記載の紙幣入出金装置。
【請求項４】
前記収納部内に、前記収納部内の紙葉類の枚数を検知するための可動式の押板を有し、
前記制御部は、
前記精算処理を実行するに際し、前記押板の位置に基づいて、前記紙葉類を前記一部の紙葉類と前記残りの紙葉類とに分類し、前記入出金口部、前記一時保管部または前記紙葉類が収納されていない前記収納部のいずれかに、前記一部の紙葉類と前記残りの紙葉類とを分けて退避させる
ことを特徴とする、請求項１に記載の紙幣入出金装置。
【請求項５】
前記制御部は、
前記精算処理を実行するに際し、前記収納部内の押板の位置に基づいて、前記紙葉類を前記一部の紙葉類と前記残りの紙葉類とに分類し、前記入出金口部、前記一時保管部または前記紙葉類が収納されていない前記収納部のいずれかに、前記一部の紙葉類と前記残りの紙葉類とを分けて退避させ、
前記入出金口部、前記一時保管部、前記紙葉類が入っていない前記収納部のいずれかに退避させた前記一部の紙葉類と前記残りの紙葉類を、前記収納部に戻す
ことを特徴とする、請求項４に記載の紙幣入出金装置。
【請求項６】
前記制御部は、
前記精算処理を実行するに際し、前記精算処理において前記記憶部に前記紙葉類の計数結果を記憶させ、
前記記憶された紙葉類の計数結果及び前記収納部内の押板の位置に基づいて、前記入出金口部、前記一時保管部、前記紙葉類が入っていない前記収納部のいずれかに退避させた前記一部の紙葉類と前記残りの紙葉類を、前記収納部に戻す
ことを特徴とする、請求項４に記載の紙幣入出金装置。
【請求項７】
前記記憶部は、前記精算処理における前記紙葉類の計数結果を記憶し、
前記制御部は、
前記精算処理を実行するに際し、前記記憶部に記憶された前記紙葉類の計数結果をもとに、前記紙葉類を前記一部の紙葉類と前記残りの紙葉類とに分類し、前記入出金口部、前記一時保管部または前記紙葉類が収納されていない前記収納部のいずれかに、前記一部の紙葉類と前記残りの紙葉類とを分けて退避させる
ことを特徴とする、請求項１に記載の紙幣入出金装置。
【請求項８】
前記制御部は、
前記精算処理を実行するに際し、前記精算処理において前記記憶部に前記紙葉類の計数結果を記憶させ、
前記記憶された紙葉類の計数結果に基づいて、前記入出金口部、前記一時保管部、前記紙葉類が入っていない前記収納部のいずれかに退避させた前記一部の紙葉類と前記残りの紙葉類を、前記収納部に戻す
ことを特徴とする請求項５に記載の紙幣入出金装置。
【請求項９】
前記制御部は、
前記精算処理を実行するに際し、前記識別部による前記紙幣の識別結果をもとに、前記紙葉類を前記一部の紙葉類と前記残りの紙葉類とに分類し、前記入出金口部、前記一時保管部または前記紙葉類が収納されていない前記収納部のいずれかに、前記一部の紙葉類と前記残りの紙葉類とを分けて退避させる
ことを特徴とする、請求項１に記載の紙幣入出金装置。
【請求項１０】
前記制御部は、
前記精算処理を実行するに際して、前記収納部内の紙葉類の収納順序を変更して前記収納部に戻すか、前記収納部内の収納順序を変更せずに前記収納部内に戻すかを表示部に表示させる
ことを特徴とする、請求項１〜９のいずれかに記載の紙幣入出金装置。
【請求項１１】
前記制御部は、
前記収納部内の奥位置に収納されていた紙幣が、前記精算処理を実行した後に、前記収納部の奥位置にそのまま収納されている
ことを特徴とする、請求項１〜９のいずれかに記載の紙幣入出金装置。
【請求項１２】
前記制御部は、
前回の精算処理を実行した結果、前記収納部内の手前位置に収納された出金予定の紙幣が前記収納部内の手前位置にそのまま収納されている
ことを特徴とする、請求項１〜９のいずれかに記載の紙幣入出金装置。
【発明の詳細な説明】
【技術分野】
【０００１】
本発明は、金融機関等で使用される現金自動取引装置に実装される紙幣入出金装置に関する。
【背景技術】
【０００２】
従来、金融機関などで使用されている紙幣入出金装置では、装置内紙幣の枚数を確定するために、定期的に装置内紙幣を計数する精算処理が行われている。特許文献１では、この精算処理機能を有した装置が開示されており、精算処理時に、紙幣状態が悪く出金に適さないと判定されたリジェクト紙幣を、紙幣の入出金庫として使用されるスタッカとは別の入金庫に収納することが記載されている。
【０００３】
また、特許文献２には、入口と出口が異なるスタッカで、スタッカ内の紙幣の順番を変えることができる紙幣入出金装置が開示されている。この紙幣入出金装置では、入口に紙幣スタック機構、出口に紙幣分離機構が設けられているためスタッカの構成は複雑となるが、スタッカ内に紙幣が滞留するのを防ぐことができる。
【先行技術文献】
【特許文献】
【０００４】
【特許文献１】特開２００３−２７２０２７号公報
【特許文献２】特開平２−１６９４７６号公報
【発明の概要】
【発明が解決しようとする課題】
【０００５】
従来の金融機関などで使用される紙幣入出金装置の運用において、スタッカが先入れ・後出しの還流運用である場合、スタッカの出入口付近に位置する紙幣は入金・出金によって紙幣が入れ替わる。しかし、スタッカの奥に位置する紙幣のほとんどは、循環せずスタッカ内に留まることになる。
【０００６】
このような状況において、月に数回の頻度で精算処理が実施されると、スタッカの奥に位置する紙幣は、スタッカからの分離・収納を繰り返す。その際、紙幣入出金装置やスタッカのローラ等により、紙幣に癖が付いたり、紙幣が損傷したりする場合があった。このように、精算処理時に、状態が悪化した紙幣によってジャムなどの障害が発生し、復旧作業に手間と時間がかかるという問題があった。また、このような障害が発生するのを回避するために、月に１回程度、スタッカ内の全紙幣入れ替えを行なうこともあるが、この場合は係員の作業負担が増えてしまう。一方、スタッカ内に紙幣が留まるのを防ぐために、スタッカを先入れ・先出し方式にした場合は、スタッカの構成が複雑、かつ、高価になってしまうという問題があった。
【０００７】
本発明は以上の点を考慮してなされたもので、収納部（スタッカ）内の紙幣の収納順序を効率的に入れ替えることが可能な紙幣入出金装置及び紙幣入出金方法を提案しようとするものである。
【課題を解決するための手段】
【０００８】
かかる課題を解決するために本発明においては、紙葉類の投入又は放出を行う入出金口部と、前記紙葉類の金種及び真偽を判別する識別部と、前記識別部で判別された金種又は真偽に関する判別情報を記憶する記憶部と、前記入出金口部に入金された紙葉類を一時的に集積する一時保管部と、入金された前記紙葉類又は出金する前記紙葉類を収納する複数の収納部と、前記識別部を通過し、前記入出金口部、前記一時保管部、前記収納部を接続する搬送路と、前記搬送路を駆動させる駆動部と、前記収納部内に集積された紙葉類を、前記判別情報を元に、収納部毎に分離して前記搬送部に搬送させて、前記識別部に計数させる精算処理を実行する制御部と、を備え、前記制御部は、前記精算処理中の前記収納部内の一部の紙葉類を前記入出金口部又は前記一時保管部又はその両方に退避させ、前記精算処理中の前記収納部内の残りの紙葉類を前記入出金口部、前記一時保管部または前記紙葉類が収納されていない前記収納部のいずれかに退避させ、前記一部の紙葉類および前記残りの紙葉類を前記精算処理中の前記収納部に戻すように制御することを特徴とする、紙幣入出金装置が提供される。
【０００９】
かかる構成によれば、精算処理において、収納部内の一部の紙葉類を入出金口部又は一時保管部又はその両方に退避させ、精算処理中の収納部内の残りの紙葉類を入出金口部、一時保管部または紙葉類が収納されていない収納部のいずれかに退避させ、一部の紙葉類および残りの紙葉類を精算処理中の前記収納部に戻すように制御する。これにより、収納部内で循環せずに収納部の奥位置などに留まる紙幣を収納部の出入口付近に位置させるなど、収納部内の紙幣の収納順序を効率的に入れ替えることが可能となる。
【発明の効果】
【００１０】
本発明によれば、収納部（スタッカ）内の紙幣の収納順序を効率的に入れ替えて、精算処理時の紙幣ジャムなどの障害を低減し、紙幣入れ替えにかかる係員の運用労力を省力化することができる。
【図面の簡単な説明】
【００１１】
【図１】本発明の第１の実施形態に係る現金自動取引装置の外観を示す概念図である。
【図２】同実施形態にかかる現金自動取引装置の機能構成を示すブロック図である。
【図３】同実施形態にかかる紙幣入出金装置の構成を示す概念図である。
【図４】同実施形態にかかる紙幣入出金装置の機能構成を示すブロック図である。
【図５】同実施形態にかかる精算処理動作の詳細を示すフローチャートである。
【図６】同実施形態にかかる精算処理動作の詳細を示す概念図である。
【図７】本発明の第２の実施形態に係る精算処理動作の詳細を示すフローチャートである。
【図８】同実施形態にかかる精算処理動作の詳細を示す概念図である。
【図９】本発明の第３の実施形態に係る精算処理動作の詳細を示すフローチャートである。
【図１０】同実施形態にかかる精算処理動作の詳細を示す概念図である。
【図１１】本発明の第４の実施形態に係る精算処理動作の詳細を示すフローチャートである。
【図１２】同実施形態にかかる精算処理動作の詳細を示す概念図である。
【図１３】本発明の第５の実施形態に係る精算処理動作の詳細を示すフローチャートである。
【図１４】同実施形態にかかる精算処理動作の詳細を示す概念図である。
【図１５】本発明の第６の実施形態に係る精算処理動作の詳細を示すフローチャートである。
【図１６】同実施形態にかかる精算処理動作の詳細を示す概念図である。
【発明を実施するための形態】
【００１２】
以下図面について、本発明の一実施の形態を詳述する。
【００１３】
（１）第１の実施の形態
（１−１）現金自動取引装置の構成
まず、本発明を適用する現金自動取引装置の構成について説明する。図１を参照して、現金自動取引装置１０１の外観構成について説明する。図１は、現金自動取引装置１０１の外観の一例を示す概念図である。
【００１４】
図１に示すように、本実施の形態の現金自動取引装置１０１は、顧客の取引カードや取引明細票を処理するカード／明細票処理機構１０２、通帳を処理する通帳処理機構１０３、筐体１０４及び取引に必要な情報を利用者に表示したり利用者が入力をしたり、あるいは係員が運用の確認のために表示および情報入力したりする操作/表示部１０５などが設けられている。また、筐体１０４の内部には、紙幣入出金装置１が備えられている。
【００１５】
次に、図２を参照して、現金自動取引装置１０１の機能構成について説明する。図２は、現金自動取引装置１０１の制御関係を示すブロック図である。
【００１６】
図２に示すように、現金自動取引装置１０１は、カード／明細票処理機構１０２、通帳処理機構１０３、操作／表示部１０５及び紙幣入出金装置１は、バス１１０を介して本体制御部１０６と接続され、これらは、本体制御部１０６の制御の下必要な動作を行う。上記の他、カード／明細票処理機構１０２、通帳処理機構１０３、操作／表示部１０５及び紙幣入出金装置１は、インタフェース部１０７と、係員操作部１０８と、外部記憶装置１０９ともバス１１０で接続されており、必要なデータのやり取りを行う。なお、電源部１１１は、上記各機構、構成部分に電力を供給する。
【００１７】
（１−２）紙幣入出金装置の構成
次に、図３及び図４を参照して、現金自動取引装置１０１に実装される紙幣入出金装置１の構成について説明する。図３は、現金自動取引装置１０１に実装される紙幣入出金装置１の構成を示す図であり、図４は、紙幣入出金装置１の制御関係を示すブロック図である。
【００１８】
図３及び図４に示すように、紙幣入出金装置１は、紙幣を出し入れする入出金口２と、搬送される各紙幣の金種、真偽若しくは状態を判別する識別部３を有する。さらに取引が成立するまでの間、入金した紙幣を一時的に収納する一時保留部４と、紙幣入出金装置１で取り扱う紙幣が収納される収納部１２と、収納部１２と紙幣入出金装置１の各構成要素を接続し、紙幣を搬送する搬送路５とを有する。
【００１９】
収納部１２は、複数の収納部から構成され、その役割に応じて分類される。例えば、入金庫６には、紙幣の一部に折れなどが生じていると判断されたリジェクト紙幣等の、出金用として扱わない紙幣が収納される。スタッカ（本発明の収納部）７〜１０は、入金および出金に合わせて紙幣の金種ごとに収納および分離を行う。また、スタッカ１０は、補充回収スタッカ１１として使用することもでき、各スタッカ７〜９に紙幣を補充するとき、またはスタッカ７〜９から紙幣を回収するときに使用される。また、スタッカ７〜１０の内部には紙幣に押圧をかける押板１４と、その押板１４の位置を検出するセンサが設けられ、押板１４の位置に基づいて、収納されている紙幣量を検知する機能を有する。
【００２０】
記憶部１３は、紙幣の入出金に関するデータを記憶する。例えば、記憶部１３は、収納部１２に収納された紙幣の数を記憶する。
【００２１】
現金自動取引装置１０１は、金融機関などの店舗などに設置され、利用者の操作により入金や出金などの取引を実行し、係員などの操作により、装填、回収または精算などの処理を行う。
【００２２】
ここで、精算処理とは、現金自動取引装置１０１に実装される紙幣入出金装置１の収納紙幣枚数を計数する処理をいう。現金自動取引装置１０１において、この精算処理を複数回実行すると、紙幣に癖が付いたり、紙幣が損傷したりする障害が発生することがある。
【００２３】
このような障害は、紙幣入出金装置１の運用においてスタッカ７〜９が先入れ・後出しの還流運用である場合に発生しやすい。すなわち、当該障害は、スタッカ７〜９の手前に位置する紙幣は入金・出金によって紙幣が入れ替わるが、スタッカ７〜９の奥に位置する紙幣のほとんどは、循環せずにスタッカ７〜９内に留まることに起因する。
【００２４】
紙幣入出金装置１において、月に数回の頻度で精算処理が実施されると、スタッカ７〜９の奥に位置する紙幣は、スタッカ７〜９からの分離・収納を繰り返し、その際に紙幣入出金装置１およびスタッカ７〜９のローラ等により、紙幣に癖が付き、紙幣に損傷が発生する恐れがあった。
【００２５】
このような紙幣の状態の悪化により、副次的に、精算処理の際、ジャムなどの障害が発生する場合がある。この精算処理を複数回実行することによる紙幣の癖および損傷を回避するために、本実施形態にかかる精算処理を提案する。
【００２６】
（１−３）現金自動取引装置の動作
次に、現金自動取引装置１０１が実施する処理の一例として、入金処理、出金処理及び精算処理について説明する。以下、現金自動取引装置１０１に搭載される１つのユニットである紙幣入出金装置１の入金処理動作、出金処理動作、精算処理動作を中心に説明する。
【００２７】
入金処理動作は、現金自動取引装置１０１が紙幣入出金装置１に対して、入金計数指示、および収納指示を発行することにより動作が開始される。紙幣入出金装置１は、現金自動取引装置１０１から入金計数指示を受けると、入出金口２にセットされた紙幣を、一枚ずつ分離し、駆動部（図示せず）により、搬送路５を駆動し、識別部３に紙幣を搬送する。識別部３で識別された紙幣のうち、正常紙幣は一時保留部４に搬送される。また、金種異常や真偽異常等でリジェクトされた紙幣は、入出金口２に搬送される。また、リジェクト紙幣がある場合は、現金自動取引装置１０１は、利用者に対して再投入を促し、紙幣が再投入されると、再度、入金計数処理を行なう。
【００２８】
入金計数後、紙幣入出金装置１は、現金自動取引装置１０１から収納指示を受けると、一時保留部４の紙幣を、金種に応じたスタッカ７〜１０へ収納する。
【００２９】
出金処理動作は、現金自動取引装置１０１が紙幣入出金装置１に対して、出金指示を発行することにより動作が開始される。紙幣入出金装置１は、現金自動取引装置１０１から出金指示を受けると、金種に応じたスタッカ７〜１０より紙幣を分離し、駆動部（図示せず）により、搬送路５を駆動し、識別部３に紙幣を搬送する。識別部３で識別された紙幣のうち、正常紙幣は入出金口２に搬送される。金種異常や真偽異常等でリジェクトされた紙幣は、入金庫６に搬送される。そして、現金自動取引装置１０１は、正常紙幣が指定枚数に達すると、分離処理を停止し、利用者へ出金紙幣を放出する。
【００３０】
（１−４）紙幣入出金装置の精算処理動作
次に、図５を参照して、本実施形態にかかる精算処理動作の詳細について説明する。図５は、精算処理動作の処理の流れを示すフローチャートである。また、精算処理動作の説明に際し、紙幣入出金装置１の状態について、適宜図６に示す解説図を参照する。
【００３１】
紙幣入出金装置１における精算処理動作は、現金自動取引装置１０１が紙幣入出金装置１に対して、精算処理指示を発行することにより開始される。図５に示すように、紙幣入出金装置１は、現金自動取引装置１０１から精算処理指示を受けると、各スタッカ７〜９に対し、スタッカ内精算処理を開始させる（Ｓ２００）。
【００３２】
そして、紙幣入出金装置１は、スタッカ７に収納されている紙幣を分離し、駆動部（図示せず）により、搬送路５を駆動し、識別部３に紙幣を搬送する（Ｓ３０１）。識別部３は、紙幣が正常紙幣か金種異常や真偽異常等リジェクト紙幣かを識別するとともに、紙幣を計数する（Ｓ４００）。
【００３３】
ステップＳ４００で識別部３により識別および計数された紙幣のうち、正常紙幣は補充回収スタッカ（スタッカ１０）に収納し（Ｓ３０２）、金種異常や真偽異常等でリジェクトされた紙幣は入金庫６へ収納する（Ｓ３０３）。
【００３４】
さらに、紙幣入出金装置１は、紙幣を分離する際に、スタッカ７の押板１４の位置に基づいて、紙幣を分離中であるスタッカ７の紙幣量の残量が少なくなったかを判定する（Ｓ４０１）。例えば、予め紙幣量の残量が２００枚である場合に残量少であると設定されていた場合に、紙幣入出金装置１は、スタッカ７の紙幣量の残量が２００枚より少ないかを判定する。
【００３５】
そして、ステップＳ４０１において、スタッカ７の紙幣量の残量少と判定された場合には、スタッカ７の残りの正常紙幣を入出金口２または一時保留部４へ収納する（Ｓ３０４）。
【００３６】
一方、ステップＳ４０１において、紙幣入出金装置１は、スタッカ７の紙幣量の残量少ではないと判定された場合には、正常紙幣を引き続き補充回収スタッカ（スタッカ１０）に収納する（Ｓ３０２）。
【００３７】
紙幣入出金装置１は、スタッカ７の紙幣が無くなるまで（Ｓ４０２）、ステップＳ３０１からステップＳ４０２の紙幣の搬送処理を繰り返す。
【００３８】
そして、紙幣入出金装置１は、補充回収スタッカ（スタッカ１０）に収納した正常紙幣をスタッカ７に戻し（Ｓ３０５）、その後、入出金口２および一時保留部４へ収納した正常紙幣をスタッカ７に戻す（Ｓ３０６）。そして、紙幣入出金装置１は、スタッカ内精算処理を終了する（Ｓ３０７）。
【００３９】
紙幣入出金装置１は、未精算処理のスタッカが無くなるまで（Ｓ４０３）、ステップＳ２００〜ステップＳ４０３の処理を行う。本実施の形態では、スタッカ８及び９に対し、スタッカ７に対する精算処理と同様の処理を実行する。
【００４０】
そして、紙幣入出金装置１は、上記したスタッカ内精算処理が終了した後、精算処理の結果を現金自動取引装置１０１へ報告し（Ｓ３０８）、精算処理動作を終了する。また、現金自動取引装置１０１は、精算処理動作によるスタッカの紙幣収納順序の変更結果を表示させてもよい。
【００４１】
上記精算処理動作の結果、図６に示すように、入出金口２または一時保留部４へ収納した正常紙幣を、補充回収スタッカ（スタッカ１０）に収納した正常紙幣の手前位置に移動させることができる。また、識別部３でリジェクト紙幣と判別され、計数不可であった紙幣は入金庫６に収納される。
【００４２】
（１−５）本実施の形態の効果
本実施の形態にかかる精算処理を実行することにより、スタッカの奥に位置する紙幣をスタッカの手前位置に移動させることができる。また、スタッカの奥(下方)に位置する紙幣を、紙幣の状態が悪化する前に、早めに出金させることができるため、精算処理時の紙幣ジャムなどの障害を低減することができる。
【００４３】
なお、本実施の形態では、残量少を、残りの紙幣が収納先の容量である最大の２００枚程度としたが、かかる例に限定されず、元のスタッカ紙幣の痛みの度合いや紙幣自重の大小に応じて、残量少とする枚数をより少ない枚数に設定するようにしてもよい。
【００４４】
（２）第２の実施の形態
上記した第１の実施形態にかかるスタッカ内精算処理では、スタッカ７〜９から補充回収スタッカへ紙幣を搬送する際に、スタッカ７の押板１４の位置に基づいて、紙幣の搬送先を入出金口２または一時保留部４へ切り替え、一時的にスタッカの奥に位置する紙幣を退避させることにより紙幣のスタッカ内収納位置を変えるものであった。これを以下では、行き搬送先振り分けスタッカ内精算処理と称して説明する場合もある。
【００４５】
上記した、行き搬送先振り分けスタッカ内精算処理に対し、スタッカ内精算処理は、スタッカ７〜９から補充回収スタッカへ紙幣を全て搬送した後、補充回収スタッカからスタッカ７〜９へ紙幣を戻す際に搬送先を切り替え、戻し先を変更することによっても紙幣のスタッカ内収納位置を変えることが可能である。これを以下では、戻し搬送先振り分けスタッカ内精算処理と称して説明する場合もある。本実施の形態では、戻し搬送先振り分けスタッカ内精算処理にかかる精算処理動作について説明する。
【００４６】
なお、現金自動取引装置１０１の構成及び動作、紙幣入出金装置１の構成については、第１の実施の形態と同様のため詳細な説明は省略する。以下では、第１の実施の形態と異なる、紙幣入出金装置１の精算処理動作について詳細に説明する。
【００４７】
（２−１）紙幣入出金装置の精算処理動作
図７を参照して、本実施形態にかかる精算処理動作の詳細について説明する。図７は、精算処理動作の処理の流れを示すフローチャートである。また、精算処理動作の説明に際し、紙幣入出金装置１の状態について、適宜図８に示す解説図を参照する。
【００４８】
上記したように、以下では、戻し搬送先振り分けスタッカ内精算処理にかかる精算処理動作について説明する。紙幣入出金装置１における精算処理動作は、現金自動取引装置１０１が紙幣入出金装置１に対して、精算処理指示を発行することにより開始される。図７に示すように、紙幣入出金装置１は、現金自動取引装置１０１から精算処理指示を受けると、各スタッカ７〜９に対し、スタッカ内精算処理を開始させる（Ｓ２１０）。
【００４９】
そして、紙幣入出金装置１は、スタッカ７に収納されている紙幣を分離し、駆動部（図示せず）により、搬送路５を駆動し、識別部３に紙幣を搬送する（Ｓ３０１）。識別部３は、紙幣が正常紙幣か金種異常や真偽異常等であるリジェクト紙幣かを識別するとともに、紙幣を計数する（Ｓ４００）。
【００５０】
ステップＳ４００で識別部３により識別および計数された紙幣のうち、正常紙幣は補充回収スタッカ（スタッカ１０）に収納し（Ｓ３０２）、金種異常や真偽異常等でリジェクトされた紙幣は入金庫６へ収納する（Ｓ３０３）。
【００５１】
紙幣入出金装置１は、スタッカ７の紙幣が無くなるまで、ステップＳ３０１〜ステップＳ４０２までの紙幣の搬送処理を行う（Ｓ４０２）。
【００５２】
そして、紙幣入出金装置１は、補充回収スタッカ（スタッカ１０）から紙幣を入出金口２および一時保留部４へ分離する（Ｓ３１２）。そして、紙幣入出金装置１は、補充回収スタッカの押板１４の位置に基づいて、２００枚程度の紙幣が分離したことを検知すると（Ｓ４１１）、補充回収スタッカの残りの正常紙幣をスタッカ７へ収納する（Ｓ３０５）。
【００５３】
その後、紙幣入出金装置１は、入出金口２および一時保留部４へ収納した正常紙幣をスタッカ７に戻す（Ｓ３０６）。そして、戻し搬送先振り分けスタッカ内精算処理を終了する（Ｓ３０７）。
【００５４】
紙幣入出金装置１は、未精算処理のスタッカが無くなるまで（Ｓ４０３）、ステップＳ２００〜ステップＳ４０３の処理を行う。本実施の形態では、スタッカ８及び９に対し、スタッカ７に対する精算処理と同様の処理を実行する。
【００５５】
そして、紙幣入出金装置１は、上記した戻し搬送先振り分けスタッカ内精算処理が終了した後、精算処理の結果を現金自動取引装置１０１へ報告し（Ｓ３０８）、精算処理動作を終了する。また、現金自動取引装置１０１は、精算処理動作によるスタッカの紙幣収納順序の変更結果を表示させてもよい。
【００５６】
上記した戻し搬送先振り分けスタッカ内精算処理における精算処理動作でも、上記スタッカ内精算処理動作と同様に、入出金口２または一時保留部４へ収納した正常紙幣を、補充回収スタッカ（スタッカ１０）に収納した正常紙幣の手前位置に移動させることができる。また、識別部３でリジェクト紙幣と判別され、計数不可であった紙幣は入金庫６に収納される。
【００５７】
（２−２）本実施の形態の効果
本実施の形態にかかる精算処理を実行することにより、スタッカの奥に位置する紙幣をスタッカの手前位置に移動させることができる。また、スタッカの奥(下)に位置する紙幣を、紙幣の状態が悪化する前に、早めに出金させることができるため、精算処理時の紙幣ジャムなどの障害を低減することができる。
【００５８】
（３）第３の実施の形態
上記した第１及び第２の実施の形態では、押板１４の位置に基づいて搬送先を切り替えていたが、本実施の形態では、紙幣入出金装置１の記憶部１３に記憶された紙幣枚数に基づいて搬送先を切り替える場合について説明する。
【００５９】
例えば、紙幣の入出金の際に検知された紙幣枚数を記憶部１３に記憶されており、スタッカ７〜９から補充回収スタッカへ紙幣を搬送する際に、記憶部１３に記憶された紙幣枚数に基づいて紙幣の搬送先を切り替えることが考えられる。また、補充回収スタッカへ紙幣を搬送する際に紙幣枚数を記憶部１３に記憶しておき、補充回収スタッカからスタッカ７〜９へ紙幣を戻す際に記憶部１３に記憶された紙幣枚数に基づいて搬送先を切り替え、戻し先を変更することも考えられる。
【００６０】
なお、現金自動取引装置１０１の構成及び動作、紙幣入出金装置１の構成については、第１の実施の形態と同様のため詳細な説明は省略する。以下では、第１の実施の形態と異なる、紙幣入出金装置１の精算処理動作について詳細に説明する。
【００６１】
（３−１）紙幣入出金装置の精算処理動作
図９を参照して、本実施形態にかかる精算処理動作の詳細について説明する。図９は、精算処理動作の処理の流れを示すフローチャートである。また、精算処理動作の説明に際し、紙幣入出金装置１の状態について、適宜図１０に示す解説図を参照する。
【００６２】
上記したように、以下では、記憶部１３に記憶された紙幣枚数に基づいて、精算処理動作を切り替える場合について説明する。紙幣入出金装置１における精算処理動作は、現金自動取引装置１０１が紙幣入出金装置１に対して、精算処理指示を発行することにより開始される。図９に示すように、紙幣入出金装置１は、現金自動取引装置１０１から精算処理指示を受けると、各スタッカ７〜９に対し、スタッカ内精算処理を開始させる（Ｓ２２０）。
【００６３】
そして、紙幣入出金装置１は、スタッカ７に収納されている紙幣を分離し、駆動部（図示せず）により、搬送路５を駆動し、識別部３に紙幣を搬送する（Ｓ３０１）。識別部３は、紙幣が正常紙幣か金種異常や真偽異常等リジェクト紙幣かを識別するとともに、紙幣を計数する（Ｓ４００）。
【００６４】
ステップＳ４００で識別部３により識別および計数された紙幣のうち、正常紙幣は補充回収スタッカ（スタッカ１０）に収納し（Ｓ３０２）、金種異常や真偽異常等でリジェクトされた紙幣は入金庫６へ収納する（Ｓ３０３）。
【００６５】
そして、紙幣入出金装置１は、記憶されている精算処理中のスタッカ内の紙幣量の残量が少かを判定する（Ｓ４２１）。具体的に、紙幣入出金装置１は、記憶部１３に記憶されているスタッカの収納紙幣枚数から、ステップＳ３０１で分離した紙幣枚数を減算することにより、分離処理中のスタッカ７の紙幣の残量を算出する。
【００６６】
そして、ステップＳ４２１において、スタッカ７の紙幣量の残量少と判定された場合には、スタッカ７の残りの正常紙幣を入出金口２または一時保留部４へ収納する（Ｓ３０４）。
【００６７】
一方、ステップＳ４２１において、紙幣入出金装置１は、スタッカ７の紙幣量の残量少ではないと判定された場合には、正常紙幣を引き続き補充回収スタッカ（スタッカ１０）に収納する（Ｓ３０２）。
【００６８】
紙幣入出金装置１は、スタッカ７の紙幣が無くなるまで、すなわち、記憶部１３に記憶されたスタッカ７の収納紙幣枚数がゼロになるまで（Ｓ４２２）、ステップＳ３０１からステップＳ４２２の紙幣の搬送処理を繰り返す。
【００６９】
そして、紙幣入出金装置１は、補充回収スタッカ（スタッカ１０）に収納した正常紙幣をスタッカ７に戻し（Ｓ３０５）、その後、入出金口２および一時保留部４へ収納した正常紙幣をスタッカ７に戻す（Ｓ３０６）。そして、紙幣入出金装置１は、スタッカ内精算処理を終了する（Ｓ３０７）。
【００７０】
そして、紙幣入出金装置１は、未精算処理のスタッカが無くなるまで（Ｓ４０３）、ステップＳ２００〜ステップＳ４０３の処理を行う。本実施の形態では、スタッカ８及び９に対し、スタッカ７に対する精算処理と同様の処理を実行する。
【００７１】
そして、紙幣入出金装置１は、上記したスタッカ内精算処理が終了した後、精算処理の結果を現金自動取引装置１０１へ報告し（Ｓ３０８）、精算処理動作を終了する。また、現金自動取引装置１０１は、精算処理動作によるスタッカの紙幣収納順序の変更結果を表示させてもよい。
【００７２】
上記精算処理動作の結果、図１０に示すように、入出金口２または一時保留部４へ収納した正常紙幣を、補充回収スタッカ（スタッカ１０）に収納した正常紙幣の手前位置に移動させることができる。また、識別部３でリジェクト紙幣と判別され、計数不可であった紙幣は入金庫６に収納される。
【００７３】
（３−２）本実施の形態の効果
本実施の形態にかかる精算処理を実行することにより、スタッカの奥に位置する紙幣をスタッカの手前位置に移動させることができる。また、スタッカの奥(下方)に位置する紙幣を、紙幣の状態が悪化する前に、早めに出金させることができるため、精算処理時の紙幣ジャムなどの障害を低減することができる。
【００７４】
（４）第４の実施の形態
以下では、紙幣入出金装置１の識別部３において判断された紙幣の状態の識別結果をもとに、紙幣の搬送先を切り替える精算処理動作について説明する。
【００７５】
なお、現金自動取引装置１０１の構成及び動作、紙幣入出金装置１の構成については、第１の実施の形態と同様のため詳細な説明は省略する。以下では、第１の実施の形態と異なる、紙幣入出金装置１の精算処理動作について詳細に説明する。
【００７６】
（４−１）紙幣入出金装置の精算処理動作
図１１を参照して、本実施形態にかかる精算処理動作の詳細について説明する。図１１は、精算処理動作の処理の流れを示すフローチャートである。また、精算処理動作の説明に際し、紙幣入出金装置１の状態について、適宜図１２に示す解説図を参照する。
【００７７】
上記したように、以下では、識別部３による識別結果をもとに動作を切り替える精算処理動作について説明する。紙幣入出金装置１における精算処理動作は、現金自動取引装置１０１が紙幣入出金装置１に対して、精算処理指示を発行することにより開始される。図１１に示すように、紙幣入出金装置１は、現金自動取引装置１０１から精算処理指示を受けると、各スタッカ７〜９に対し、スタッカ内精算処理を開始させる（Ｓ２３０）。
【００７８】
そして、紙幣入出金装置１は、スタッカ７に収納されている紙幣を分離し、駆動部（図示せず）により、搬送路５を駆動し、識別部３に紙幣を搬送する（Ｓ３０１）。識別部３は、紙幣が正常紙幣か金種異常や真偽異常等リジェクト紙幣かを識別するとともに、紙幣を計数する（Ｓ４００）。
【００７９】
ステップＳ４００で識別部３により識別および計数した紙幣のうち、金種異常や真偽異常等でリジェクトされた紙幣は入金庫６へ収納する（Ｓ３０３）。また、ステップＳ４００で、折れや曲がりなど、リジェクトはされない正常紙幣であるが、ダメージを受けている紙幣かを判定する（Ｓ４３１）。
【００８０】
ステップＳ４３１で正常紙幣であると判定された場合には、当該正常紙幣を補充回収スタッカ（スタッカ１０）に収納する（Ｓ３０２）。一方、正常紙幣ではあるが、ダメージを受けている紙幣であると判定された場合には、当該紙幣を入出金口２または一時保留部４へ収納する（Ｓ３０４）。
【００８１】
紙幣入出金装置１は、スタッカ７の紙幣が無くなるまで（Ｓ４０２）、ステップＳ３０１からステップＳ４０２の紙幣の搬送処理を繰り返す。
【００８２】
そして、紙幣入出金装置１は、補充回収スタッカ（スタッカ１０）に収納した正常紙幣をスタッカ７に戻し（Ｓ３０５）、その後、入出金口２および一時保留部４へ収納した正常紙幣をスタッカ７に戻す（Ｓ３０６）。そして、紙幣入出金装置１は、識別結果をもとに動作を切り替えるスタッカ内精算処理を終了する（Ｓ３０７）。
【００８３】
紙幣入出金装置１は、未精算処理のスタッカが無くなるまで（Ｓ４０３）、ステップＳ２００〜ステップＳ４０３の処理を行う。本実施の形態では、スタッカ８及び９に対し、スタッカ７に対する精算処理と同様の処理を実行する。
【００８４】
そして、紙幣入出金装置１は、上記したスタッカ内精算処理が終了した後、精算処理の結果を現金自動取引装置１０１へ報告し（Ｓ３０８）、精算処理動作を終了する。また、現金自動取引装置１０１は、精算処理動作によるスタッカの紙幣収納順序の変更結果を表示させてもよい。
【００８５】
上記した識別結果をもとに動作を切り替える精算処理動作により、入出金口２または一時保留部４へ収納された、リジェクトはされないがダメージを受けていると検知された正常紙幣が、補充回収スタッカ（スタッカ１０）に収納した正常紙幣の手前位置に移動させることができる。また、識別部３でリジェクト紙幣と判別され、計数不可であった紙幣は入金庫６に収納される。
【００８６】
（４−２）本実施の形態の効果
本実施の形態にかかる精算処理を実行することにより、スタッカの奥に位置する紙幣をスタッカの手前位置に移動させることができる。また、スタッカの奥(下)に位置する紙幣を、紙幣の状態が悪化する前に、早めに出金させることができるため、精算処理時の紙幣ジャムなどの障害を低減することができる。
【００８７】
（５）第５の実施の形態
上記した第１〜第４の実施の形態における紙幣の精算処理動作では、スタッカの奥に位置する紙幣をスタッカ手前位置に移動させている。しかし、スタッカが重力方向に紙幣を収納する形状であり、かつスタッカの奥に位置する紙幣が皺やヨレの多い状態である場合には、紙幣の収納位置が逆転することにより、スタッカの奥に位置する紙幣が集積紙幣の自重から開放され、紙幣の厚みを増加させる可能性がある。
【００８８】
例えば、スタッカ内の紙幣が満杯状態に近い場合に、上記第１〜第４の実施形態の精算処理動作を実行して紙幣の収納一を逆転させると、収納された紙幣の厚みが増加して、スタッカ・補充回収スタッカ内の収納スペースが無くなり、紙幣のジャム等の障害が発生する原因となる。そこで、本実施の形態では、スタッカ内紙幣が満杯状態に近い場合には、スタッカ内紙幣の集積順序を変えないようにして、紙幣のジャム等の障害が発生するのを防止する。
【００８９】
なお、現金自動取引装置１０１の構成及び動作、紙幣入出金装置１の構成については、第１の実施の形態と同様のため詳細な説明は省略する。以下では、第１の実施の形態と異なる、紙幣入出金装置１の精算処理動作について詳細に説明する。
【００９０】
（５−１）紙幣入出金装置の精算処理動作
図１３を参照して、本実施形態にかかる精算処理動作の詳細について説明する。図１３は、精算処理動作の処理の流れを示すフローチャートである。また、精算処理動作の説明に際し、紙幣入出金装置１の状態について、適宜図１４に示す解説図を参照する。
【００９１】
上記したように、以下では、スタッカが満杯時における精算処理動作を切り替える場合について説明する。紙幣入出金装置１における精算処理動作は、現金自動取引装置１０１が紙幣入出金装置１に対して、精算処理指示を発行することにより開始される。図１３に示すように、紙幣入出金装置１は、現金自動取引装置１０１から精算処理指示を受けると、各スタッカ７〜９に対し、スタッカ内精算処理を開始させる（Ｓ２４０）。
【００９２】
そして、紙幣入出金装置１は、スタッカ７の紙幣収納状態が満杯か否かを判定する（Ｓ４０１）。ステップＳ４０１において、例えば、紙幣入出金装置１は、押板１４の位置に基づいてスタッカ７に収納されている紙幣が満杯か否かを判定してもよい。また、スタッカ７〜９から補充回収スタッカへ紙幣を搬送する際に、スタッカ内の紙幣枚数をカウントして、スタッカ７に収納されている紙幣が満杯か否かを判定するようにしてもよい。
【００９３】
ステップＳ４０１において、スタッカ７の紙幣収納状態が満杯状態ではないと判定された場合には、上記した実施形態１〜４のいずれかのスタッカ内の精算処理動作を実行する（Ｓ５０１）。一方、ステップＳ４０１において、スタッカ７の紙幣収納状態が満杯状態であると判定された場合には、ステップＳ３０１以降の処理を実行する。
【００９４】
紙幣入出金装置１は、スタッカ７に収納されている紙幣を分離し、駆動部（図示せず）により、搬送路５を駆動し、識別部３に紙幣を搬送する（Ｓ３０１）。識別部３は、紙幣が正常紙幣か金種異常や真偽異常等であるリジェクト紙幣かを識別するとともに、紙幣を識別および計数する（Ｓ４００）。
【００９５】
紙幣入出金装置１は、ステップＳ４００で識別部３により識別および計数された紙幣が正常紙幣であった際、紙幣を分離中であるスタッカ７の紙幣量の残量が少なくなったかを判定する（Ｓ４１１）。これは、スタッカ７の押板１４の位置に基づいて、紙幣量の残量が少なくなったかを判断してもよい。もしくは、記憶部１３に記憶されているスタッカの収納紙幣枚数から、ステップＳ４００で係数した紙幣枚数を減算することにより、紙幣量の残量が少なくなったかを判断してもよい。そして、スタッカ７の紙幣量の残量少と判定された場合には、スタッカ７の残りの正常紙幣を入出金口２または一時保留部４へ収納する（Ｓ３０４）。
【００９６】
一方、ステップＳ４１１において、紙幣入出金装置１は、スタッカ７の紙幣量の残量少ではないと判定された場合には、正常紙幣を引き続き補充回収スタッカ（スタッカ１０）に収納する（Ｓ３０２）。
【００９７】
一方、ステップＳ４００において、紙幣入出金装置１は、金種異常や真偽異常等でリジェクトされた紙幣は入金庫６へ収納する（Ｓ３０３）。
【００９８】
紙幣入出金装置１は、スタッカ７の紙幣が無くなるまで、ステップＳ３０１〜ステップＳ４０２までの紙幣の搬送処理を行う（Ｓ４０２）。
【００９９】
そして、紙幣入出金装置１は、入出金口２および一時保留部４へ収納した正常紙幣をスタッカ７に戻し（Ｓ３０６）、その後、補充回収スタッカ（スタッカ１０）に収納した正常紙幣をスタッカ７に戻す（Ｓ３０５）。そして、スタッカ満杯時の搬送先振り分けスタッカ内精算処理を終了する（Ｓ３０７）。
【０１００】
紙幣入出金装置１は、未精算処理のスタッカが無くなるまで（Ｓ４０３）、ステップＳ２００〜ステップＳ４０３の処理を行う。本実施の形態では、スタッカ８及び９に対し、スタッカ７に対する精算処理と同様の処理を実行する。
【０１０１】
そして、紙幣入出金装置１は、上記したスタッカ満杯時の搬送先振り分けスタッカ内精算処理が終了した後、精算処理の結果を現金自動取引装置１０１へ報告し（Ｓ３０８）、精算処理動作を終了する。また、現金自動取引装置１０１は、精算処理動作によるスタッカの紙幣収納順序の変更結果を表示させたり、スタッカ奥（下）位置に、スタッカ手前(上)に移動すべき紙幣が存在することを表示させたりしてもよい。
【０１０２】
上記精算処理動作の結果、図１４に示すように、入出金口２または一時保留部４へ収納した正常紙幣と、補充回収スタッカ（スタッカ１０）に収納した正常紙幣の、収納位置は変化しない。また、識別部３でリジェクト紙幣と判別され、計数不可であった紙幣は入金庫６に収納される。
【０１０３】
（５−２）本実施形態の効果
本実施の形態にかかる精算処理を実行することにより、スタッカ内が満杯状態の場合に、スタッカの奥(下)に位置する紙幣の収納順序を変更せずに元の収納位置に戻すため、紙幣の収納順序の変更による精算処理時の紙幣ジャムなどの障害を低減することができる。
【０１０４】
（６）第６の実施の形態
上記した第１〜第４の実施の形態における紙幣の精算処理動作では、スタッカの奥に位置する紙幣をスタッカ手前位置に移動させている。しかし、過去に第１〜第４の実施の形態における紙幣の精算処理動作が実行され、一部の紙幣をスタッカ手前位置に移動させた際、移動させた紙幣の全てがスタッカから分離されることなく、再び第１〜第４の実施形態の精算処理動作が実行される可能性がある。
【０１０５】
この場合、過去に移動させた紙幣の手前にさらに紙幣が収納され、過去に移動させた紙幣がスタッカから分離する可能性が低減する。この結果、精算処理動作によって、紙幣に対してスタッカから分離されたり収納されたりする動作が繰り返され、紙幣のジャム等の障害が発生する原因となる。そこで、本実施の形態では、スタッカ内において、過去に移動させた紙幣が、スタッカから全て出金されない期間は、スタッカ内紙幣の集積順序を変えないようにして、紙幣のジャム等の障害が発生するのを防止する。
【０１０６】
なお、現金自動取引装置１０１の構成及び動作、紙幣入出金装置１の構成については、第１の実施の形態と同様のため詳細な説明は省略する。以下では、第１の実施の形態と異なる、紙幣入出金装置１の精算処理動作について詳細に説明する。
【０１０７】
（６−１）紙幣入出金装置の精算処理動作
図１５を参照して、本実施形態にかかる精算処理動作の詳細について説明する。図１５は、精算処理動作の処理の流れを示すフローチャートである。また、精算処理動作の説明に際し、紙幣入出金装置１の状態について、適宜図１６に示す解説図を参照する。
【０１０８】
上記したように、以下では、スタッカ内に精算処理による移動紙幣がある時における精算処理動作を切り替える場合について説明する。紙幣入出金装置１における精算処理動作は、現金自動取引装置１０１が紙幣入出金装置１に対して、精算処理指示を発行することにより開始される。図１５に示すように、紙幣入出金装置１は、現金自動取引装置１０１から精算処理指示を受けると、各スタッカ７〜９に対し、スタッカ内精算処理を開始させる（Ｓ２５０）。
【０１０９】
そして、紙幣入出金装置１は、スタッカ７内に精算処理による移動紙幣があるか否かを判定する（Ｓ４２１）。ステップＳ４２１において、例えば、紙幣入出金装置１は、押板１４の位置と前回位置との差から、移動紙幣があるかを判定してもよい。また、スタッカ７〜９から補充回収スタッカへ紙幣を搬送する際に、スタッカ内の紙幣枚数をカウントして、スタッカ７に収納されている紙幣が移動しているかを判定するようにしてもよい。
【０１１０】
ステップＳ４２１において、スタッカ７に精算処理による移動紙幣があると判定された場合には、上記した実施形態１〜４のいずれかのスタッカ内の精算処理動作を実行する（Ｓ５０１）。一方、ステップＳ４２１において、スタッカ７に精算処理による移動紙幣があると判定された場合には、ステップＳ３０１以降の処理を実行する。
【０１１１】
紙幣入出金装置１は、スタッカ７に収納されている紙幣を分離し、駆動部（図示せず）により、搬送路５を駆動し、識別部３に紙幣を搬送する（Ｓ３０１）。識別部３は、紙幣が正常紙幣か金種異常や真偽異常等であるリジェクト紙幣かを識別するとともに、紙幣を計数する（Ｓ４００）。
【０１１２】
紙幣入出金装置１は、ステップＳ４００で識別部３により識別および計数された紙幣が正常紙幣であった際、紙幣を分離中であるスタッカ７の紙幣量の残量が少なくなったかを判定する（Ｓ４１１）。これは、スタッカ７の押板１４の位置に基づいて、紙幣量の残量が少なくなったかを判断してもよい。または、記憶部１３に記憶されているスタッカの収納紙幣枚数から、ステップＳ４００で計数した紙幣枚数を減算することにより、紙幣量の残量が少なくなったかを判断してもよい。そして、スタッカ７の紙幣量の残量少と判定された場合には、スタッカ７の残りの正常紙幣を入出金口２または一時保留部４へ収納する（Ｓ３０４）。
【０１１３】
一方、ステップＳ４１１において、紙幣入出金装置１は、スタッカ７の紙幣量の残量少ではないと判定された場合には、正常紙幣を引き続き補充回収スタッカ（スタッカ１０）に収納する（Ｓ３０２）。
【０１１４】
そして、ステップＳ４００において、紙幣入出金装置１は、金種異常や真偽異常等でリジェクトされた紙幣は入金庫６へ収納する（Ｓ３０３）。
【０１１５】
紙幣入出金装置１は、スタッカ７の紙幣が無くなるまで、ステップＳ３０１〜ステップＳ４０２までの紙幣の搬送処理を行う（Ｓ４０２）。
【０１１６】
そして、紙幣入出金装置１は、入出金口２および一時保留部４へ収納した正常紙幣をスタッカ７に戻し（Ｓ３０６）、その後、補充回収スタッカ（スタッカ１０）に収納した正常紙幣をスタッカ７に戻す（Ｓ３０５）。そして、スタッカ満杯時の搬送先振り分けスタッカ内精算処理を終了する（Ｓ３０７）。
【０１１７】
紙幣入出金装置１は、未精算処理のスタッカが無くなるまで（Ｓ４０３）、ステップＳ２００〜ステップＳ４０３の処理を行う。本実施の形態では、スタッカ８及び９に対し、スタッカ７に対する精算処理と同様の処理を実行する。
【０１１８】
そして、紙幣入出金装置１は、上記したスタッカ満杯時の搬送先振り分けスタッカ内精算処理が終了した後、精算処理の結果を現金自動取引装置１０１へ報告し（Ｓ３０８）、精算処理動作を終了する。また、現金自動取引装置１０１は、精算処理動作によるスタッカの紙幣収納順序の変更結果を表示させたり、スタッカ手前（上）位置に、前回の精算処理動作によって移動された紙幣が存在することを表示させたりしてもよい。
【０１１９】
上記精算処理動作の結果、図１６に示すように、入出金口２または一時保留部４へ収納した正常紙幣と、補充回収スタッカ（スタッカ１０）に収納した正常紙幣の、収納位置は変化しない。また、識別部３でリジェクト紙幣と判別され、計数不可であった紙幣は入金庫６に収納される。
【０１２０】
（６−２）本実施形態の効果
本実施の形態にかかる精算処理を実行することにより、スタッカ内に精算処理による移動紙幣がある場合に、スタッカの奥(下)に位置する紙幣の収納順序を変更せずに元の収納位置に戻すため、紙幣の収納順序が変更してスタッカから紙幣が分離せずに、精算処理時の紙幣ジャムなどの障害を低減することができる。
【符号の説明】
【０１２１】
１      紙幣入出金装置
２      入出金口
３      識別部
４      一時保留部
５      搬送路
６      入金庫
７〜１０  スタッカ
１１    補充回収スタッカ
１２    収納部
１３    記憶部
１４    制御部
１５    押板
１６    紙幣
１０１  現金自動取引装置
１０２  カード／明細票処理機構
１０３  通帳処理機構
１０４  筐体
１０５  操作/表示部
１０６  本体制御部
１０７  インタフェース部
１０８  係員操作部
１０９  外部記憶装置
１１０  バス
１１１  電源部
【図１】
2015125712.tif 000003
【図２】
2015125712.tif 000004
【図３】
2015125712.tif 000005
【図４】
2015125712.tif 000006
【図５】
2015125712.tif 000007
【図７】
2015125712.tif 000008
【図９】
2015125712.tif 000009
【図１１】
2015125712.tif 000010
【図１３】
2015125712.tif 000011
【図１５】
2015125712.tif 000012
【図６】
2015125712.tif 000013
【図８】
2015125712.tif 000014
【図１０】
2015125712.tif 000015
【図１２】
2015125712.tif 000016
【図１４】
2015125712.tif 000017
【図１６】
2015125712.tif 000018